(57)【特許請求の範囲】
【請求項１】
基礎コンクリートと床下のコンクリート層を同時に造成する為の基礎コンクリートの型枠構造において、基礎コンクリートを造成する為の枠板は保持具に取付けられ、該保持具はベースの片端に支持柱を起立して一方の枠板を載せる受けをベースとの間に空間を残して上下動可能に設け、又他方の枠板を止着する為の取付け部材をベースに設け、該取付け部材は垂直部と水平部から成るＬ型を成して、水平部先端にはツバを形成すると共にネジを設け、枠板は該ツバに当って位置決めされると共に止着具にてネジ止めされ、更に両枠板間には基礎構築用筋枠を配置したことを特徴とする基礎コンクリートの型枠構造。
【請求項２】
基礎コンクリートと床下のコンクリート層を同時に造成する為の基礎コンクリートの型枠構造において、基礎コンクリートを造成する為の枠板は保持具に取付けられ、該保持具はベースの片端に支持柱を起立して一方の枠板を載せる受けをベースとの間に空間を残して上下動可能に設け、又他方の枠板を止着する為の取付け部材をベースに設け、該取付け部材は垂直部と水平部から成るＬ型を成して、水平部先端にはツバを形成すると共にネジを設け、枠板は該ツバに当って位置決めされると共に止着具にてネジ止めされ、そして枠板下端はベースに形成した切欠きに当てて位置決めし、上端部には連結棒を配置して両枠板を連結し、更に両枠板間には取着棒に概略Ｌ型をした筋枠を溶接して成る基礎構築用筋枠を配置したことを特徴とする基礎コンクリートの型枠構造。
【請求項３】
基礎コンクリートと床下のコンクリート層を同時に造成する為の基礎コンクリートの型枠を構成する枠板保持具において、該保持具はベースの片端に支持柱を起立して一方の枠板を載せる受けをベースとの間に空間を残して上下動可能に設け、又他方の枠板を止着する為の取付け部材をベースに設け、該取付け部材は垂直部と水平部から成るＬ型を成して、水平部先端にはツバを形成すると共にネジを設け、枠板は該ツバに当って位置決めされると共に止着具にてネジ止め可能にしたことを特徴とする基礎コンクリートの枠板保持具。
【請求項４】
基礎コンクリートと床下のコンクリート層を同時に造成する為の基礎コンクリートの型枠を構成する枠板保持具において、該保持具はベースの片端に支持柱を起立して一方の枠板を載せる受けをベースとの間に空間を残して上下動可能に設け、又他方の枠板を止着する為の取付け部材をベースに設け、該取付け部材は垂直部と水平部から成るＬ型を成して、水平部先端にはツバを形成すると共にネジを設け、該水平部は途中にて支持棒で支えられ、枠板は該ツバに当って位置決めされると共に止着具にてネジ止め可能にしたことを特徴とする基礎コンクリートの枠板保持具。
【発明の詳細な説明】
【０００１】
【産業上の利用分野】
本発明は住宅等の基礎コンクリートを造成する場合に枠板を配置するだけで簡単に型枠を構成することが出来る技術に関するものである。
【０００２】
【従来の技術】
基礎コンクリートは概略逆Ｔ型断面を成し、この基礎コンクリートは所定の型枠にコンクリートを流し込んで造成される。この場合、型枠はベニヤ板を一定間隔をおいて垂直に併設して基礎コンクリートのベースを造り、該ベース上に同じく間隔を狭くした立ち上がり用型枠を設置してコンクリートを流し込んでいる。従って、ベースと立ち上がりをそれぞれ別々に造成しなくてはならず、上記型枠の組立作業が面倒であるだけでなく、基礎コンクリートの造成を一度に行う場合にくらべて該型枠の製作やコンクリートの流し込み作業に要する工数は約２倍になってしまう。
【０００３】
そして近年では床下全面をコンクリート面として、地面からの水分の上昇を防止し（防湿）、防湿処理することで白アリの発生を防止している。従って、この場合には上記基礎コンクリートを造成した後でさらに地面にコンクリート面を造成している訳であって、三回にわたってコンクリートの流し込み作業が行われる。
【０００４】
【本発明が解決しようとする課題】
このように従来の基礎コンクリートの型枠構造には上記のごとき問題がある。本発明が解決しようとする課題はこの問題点であって、型枠の組立が容易であって、しかもコンクリートの流し込み作業回数も一度で済む基礎コンクリートの型枠構造を提供する。
【０００５】
【課題を解決するための手段】
本発明は基礎コンクリート断面形状を逆Ｔ型ではなくて、Ｌ型を成した断面形状とし、型枠はＬ型断面の基礎コンクリートが造成出来る構造と成っている。そこで、ベースの片端には支持柱を垂直に起立し、この支持柱には受けを上下動自在に取り付けし、該受けは所定の高さにて固定することが出来る。そしてこの受けには枠板が載って支持される。
【０００６】
又、上記ベースにはＬ型に屈曲した取付け部材を固定し、このＬ型の取付け部材はベースから起立して所定の高さで屈曲して水平部となり、水平部の先端部にはツバを設けると共にネジを形成している。従って、上記枠板に対向する他の枠板をこの水平部に取り付けする。上記取付け部材の水平部を支持する為に、途中にはベースから起立した支えが溶接されている。そして、基礎構築用筋枠は取付け部材に載って支持される。
【０００７】
このように互いに平行な両枠板は垂直に起立して配置されるが、内側に位置する枠板は受けによって支持される為に、ベースからは大きく離れて空間を残している。コンクリートはこの両枠板の間に流し込まれることになるが、片方の枠板の下方に残される空間からコンクリートは流れ出て、床下面のコンクリート層となる。以下、本発明に係る実施例を図面に基づいて詳細に説明する。
【０００８】
【実施例】
図１は本発明が対象とする基礎コンクリートの断面を表している具体例である。外側に位置する基礎コンクリート１と内側に位置する基礎コンクリート２との間にはコンクリート層３が形成されている。このコンクリート層３によって床下の湿気は極力抑えられ、建物が白アリ等の害虫に侵されることはなく、しかも床下の気密性や断熱性が高められる。
【０００９】
上記基礎コンクリート１、２及び床下のコンクリート層３を造成する場合、保持具に枠板４ａ、４ｂ、５ａ、５ｂが取付けられ、両枠板４ａ、４ｂ及び５ａ、５ｂ間の空間にコンクリートが流し込まれる。従って、同時に両基礎コンクリート１、２の他に上記コンクリート層３が造成され、一回の枠組とコンクリートの流し込む作業で完成する。本発明では基礎コンクリート１を対象としている為に、基礎コンクリート２を造成する型枠構造は特に限定しないが、例えば平成７年６月１７日付けの特許出願に係る基礎コンクリートの型枠構造を利用することが出来る。
【００１０】
ところで、基礎コンクリート１を造成する為の型枠を取り付けする保持具は図２に示している。同図の６はベース、７は支持柱、８は受け、そして９は取付け部材を表している。支持柱７はベースの片端に垂直をなして起立し、受け８はこの支持柱７をガイドとして上下動出来るように取付けられている。そして、所定の高さで固定するためのロックネジ１０を備えている。
【００１１】
上記ベース６は両側に縁１１、１１を起立した断面コ型の部材であり、支持柱７はこのベース６の底面１２に溶接されて起立し、四角形の筒体をした該支持柱７には受け８の下方に延びているガイド棒１３が遊嵌して上下動することが出来、それによって受け８の高さは自由に変え得る。そして、この受け８はコ型を成して前記図１に示した枠板４ｂが載って取付けられる。
【００１２】
一方、取付け部材９は垂直部１４と水平部１５を有すＬ型に屈曲した形状を成し、該垂直部１４はベース底面１２に溶接されて起立し、又水平部１５の途中には同じくベース底面１２から起立する支持棒１６と溶接されて支えられている。そして水平部１５の先端部にはツバ１７が設けられ、該ツバ１７より先端はネジが形成されている。前記図１に示した枠板４ａは水平部１５のツバ１７に当たって位置決めされて取付けられることになる。枠板４ａの下端はベース６に載って位置決めされ、片端に形成している切欠き１９の当たり面２０に当接する。従って、当たり面２０はツバ１７と同じ垂直面に形成され、枠板４ａは垂直に起立して配置される。
【００１３】
図３は本発明の保持具に両枠板４ａ、４ｂを取り付けした場合である。一方の枠板４ａはベース６に形成した切欠き１９に当てて位置決めされ、又水平部１５のツバ１７とバー材を成した止着具２１に挟まれて固定されている。一方の枠板４ｂは受け８に載って支持され、同じ受け８には補強桟２２が載っている。そして、両枠板４ａ、４ｂの上端部には連結棒２３が掛け渡しされている。このように、枠板４ｂは受け８に載ってベース６との間には大きな空間が残され、両枠板４ａ、４ｂの上部から流し込まれるコンクリートは枠板４ｂの下方空間から流れて前記図１に示している床下のコンクリート層３を造成することになる。
【００１４】
両枠板間には基礎構築用筋枠２４が配置されて基礎コンクリートが造成されることに成る訳であり、この基礎構築用筋枠２４は取付け部材９の水平部１５に載って配置される。そして水平部１５を支えている支持棒１６に当接して位置決めされている。図４はこの基礎構築用筋枠２４を表している具体例である。水平に延びる取着棒２５に複数の筋枠２６、２６…が取付けられている。
【００１５】
該筋枠２６は同図に示すごとく、概略Ｌ型をした形状であり、垂直部２７と水平部２８から成っている。取着棒２５は垂直部２７と水平部２８のコーナに位置して溶接されている。ところで、同図に示す基礎構築用筋枠２４は単なる一具体例であって、本発明では該基礎構築用筋枠２４の構造を限定するものではない。以上述べたように、本発明の型枠構造はベースの片端に設けた支持柱に上下動可能に取り付けした受けには一方の枠板を載せ、ベースの他端側には取付け部材を設けてその水平部に他方の枠板を取り付けしたものであって、次のような効果を得ることが出来る。
【００１６】
【発明の効果】
本発明の型枠構造は一方の枠板を上下動出来得る受けに載って支持され、他方の枠板は取付け部材の水平部先端に止着されて配置し、これら両枠板間にコンクリートを流し込んで基礎コンクリートが簡単に造成される。そして、内側に位置する枠板は受けに載って支持されている為に、その高さが自由に調整され得る。両枠板間に流し込まれたコンクリートはベースと枠板との間に残された空間から流れ出て、床下のコンクリート層が造成され得る。すなわち、本発明の型枠構造は基礎コンクリートのみでなく、コンクリート層までも同時に造成することが出来る為にその作業性は高く、経費の削減が図られる。
【図面の簡単な説明】
【図１】型枠構造を表している実施例。
【図２】本発明の型枠を構成する為の枠板を配置する保持具。
【図３】保持具に枠板を配置した本発明の型枠構造。
【図４】基礎構築用筋枠の具体例。
【符号の説明】
１  基礎コンクリート
２  基礎コンクリート
３  コンクリート層
４  枠板
５  枠板
６  ベース
７  支持柱
８  受け
９  取付け部材
10  ロックネジ
11  縁
12  底面
13  ガイド棒
14  垂直部
15  水平部
16  支持棒
17  ツバ
18  ネジ
19  切欠き
20  当たり面
21  止着具
22  補助桟
23  連結棒
24  基礎構築用筋枠
25  取着棒
26  筋枠
27  垂直部
28  水平部
【図１】
0003765090.tif 000002
【図２】
0003765090.tif 000003
【図３】
0003765090.tif 000004
【図４】
0003765090.tif 000005